Podtech/llm-jp-corpus-v4-ja_patent huggingface dataset:
(57)【要約】【課題】痒いところを爪でかくと簡単に垢がとれる事に着目し、身体の痒みや垢を取る手段として、爪先形状の垢とり清浄具を提供する。【解決手段】竹材の表面カーブを利用して、人間の爪に見立てた爪先を双方向に向くように切削加工し、痒い部分を爪でかくように擦って垢をとる事ができる。また、その両側からベルトを出す事により、背中でもタオルを使う要領で垢とりを行う事ができる。【選択図】図１
0003154468.tif 000002
【実用新案登録請求の範囲】
【請求項１】
痒みや垢をとる為の手段として、擦る部分を人間の爪先形状にした考案。
【考案の詳細な説明】
【技術分野】
【０００１】本考案は身体の痒みや垢をとる為の清浄具。
【背景技術】
【０００２】
【背景技術１】
従来の垢とり具で、中央にたわし部を設けた身体洗浄具がある。
（特許文献１参照）
【背景技術２】
従来、化学繊維で垢すり度を向上させた、身体の清浄及びマッサージ用具がある。
（特許文献２参照）
【背景技術３】
従来、へちまと絹地からなる、垢擦付洗浄具がある。
（特許文献３参照）
【背景技術４】
従来、綿タオルにタックを設けた、タック付浴用兼乾布摩擦タオルがある。
（特許文献４参照）
【先行技術文献】
【特許文献】
【０００３】
【特許文献１】特開２００２−３１５６８８
【特許文献２】特開２００２−１７６０６
【特許文献３】実用新案第３０２４９０３号
【特許文献４】実用新案第３０３５７００号
【考案の概要】
【考案が解決しようとする課題】
【０００４】痒いところを爪でかくと簡単に垢がとれる事に着目し、身体の痒みや垢を取る手段として、爪先形状の垢とり清浄具。
【課題を解決するための手段】
【０００５】竹材の表面カーブを利用して、人間の爪に見立てた爪先を双方向に向くように切削加工し、痒い部分を爪でかくように擦って垢をとる事ができる。
また、その両側からベルトを出す事により、背中でもタオルを使う要領で垢とりを行う事ができる。
【考案の効果】
【０００６】竹爪の幅が広く、爪先が湾曲で突起しているため、軽く当てて擦るだけでも肌には強い接触感が得られる事から、広い背中や窪みに対しても短時間に痒みや垢とりを行うことが可能でストレスを感じさせない。
また素材が竹材で、爪先の角度が鋭角ながら直角（９０度）に近いことから人体を傷つける事も無く、人間の爪でかくような心地よい刺激が得られる。
【考案を実施するための形態】
【０００７】この垢とり清浄具は既に当方で完成されており、必要に応じて現物の配布が可能な状況にある。
【実施例】
【０００８】まだ外部には公表、配布は行っていませんが、当方では１年以上の使用を実施、継続中。
【図面の簡単な説明】
【０００９】
【図１】主要部の外観図
【図２】主要部を含む全体の外観図
【図３】主要部の概略寸法図
【図４】使用時の作用図
【符号の説明】
【００１０】  １  竹素材、爪先形状部
１ａ  加工前の竹素材を示す、２点鎖線
１ｂ  加工前の竹素材の節部を示す、２点鎖線
２  竹素材、カバー部
３  紐（ベルト）
【図１】
0003154468.tif 000003
【図２】
0003154468.tif 000004
【図３】
0003154468.tif 000005
【図４】
0003154468.tif 000006
【手続補正書】
【提出日】平成21年7月29日(2009.7.29)
【手続補正１】
【補正対象書類名】実用新案登録請求の範囲
【補正対象項目名】全文
【補正方法】変更
【補正の内容】
【実用新案登録請求の範囲】
【請求項１】
痒みや垢をとる為の手段として、擦る部分を人間の爪先形状にした洗浄具。
(57)【要約】      （修正有）【課題】バッグに入れられたペットのストレスを和らげ、飼い主が容易にペットの様子を確認でき、また、バッグの必要のない場合は折りたたむことが出来るペット用バッグを提供する。【解決手段】ペット用バッグは、手の挿入口を有し、バッグの保形用部材が背面の補強背板と、補強背板とベルトで繋がり補強背板に対して補強背板から前面を膨らませる方向に立つ保形用芯材で構成された保形機能を有する。【選択図】図２
0003154471.tif 000002
【実用新案登録請求の範囲】
【請求項１】
飼い主とペットが密接したコミュニケーションをとることが出来るように、手を入れペットを撫でることを可能にした、手の挿入口１を持つペット用バッグ。
【請求項２】
保形用芯材２とベルト３と補強背板７により、保形性を高めバッグの中のスペースを確保することが出来るペット用バッグ
【請求項３】
ペットをバッグに入れる必要のないときに、バックル４を外すことで折りたたみを可能にし、さらにアジャスター５を設けて保形性の強度を高めることが出来るペット用バッグ。
【考案の詳細な説明】
【技術分野】
【０００１】
本考案は、ペットを運ぶ時に利用するペット用のバッグに関するもの。
【背景技術】
【０００２】
ペットの飼い主は、電車やバスにペットと一緒に移動したり、人の集まる場所外へ出するときには、他人に迷惑をかけないようにペットをバッグなどに入れなければならない。
【０００３】
狭い場所に入れられたペットへのストレスは大きく、また、飼い主はペットの様子が気になってしまう。
【先行技術文献】
【特許文献】
【０００４】
【特許文献１】特開２００８−１７３１５８公報
【特許文献２】特開２００８−１４２３２２公報
【特許文献３】特開２００６−２９６５５４公報
【特許文献４】特開２００４−３３２７３公報
【考案の概要】
【考案が解決しようとする課題】
【０００５】
ペットをバッグなどで運んだりするときに、狭い場所に閉じ込められたペットが他人に迷惑をかけないように、ペットのストレスを和らげること。
【０００６】
さらに、飼い主ばパックの中のペットの様子を感じ取れる工夫が必要である。
【課題を解決するための手段】
【０００７】
本考案は、飼い主とペットが密接にコミュニケーションをとることが出来るように、バッグの入口を開けずにバッグの入口とは別に設けられた手の挿入口１から両手を入れペットを撫でることができ、ペットのストレスを和らげることができ、飼い主ばパックの中のペットの様子を感じ取れる。
【０００８】
また、保形用芯材２とベルト３と補強背板７により保形性を高め、バッグのスペースを確保し、ペットのストレスを和らげ、さらに、ペットをバッグに入れる必要のないときには、バッグを折りたたむことも出来るバッグである。
【考案の効果】
【０００９】
両手がバッグの中に入れられることによりペットと飼い主のコミュニケーションを容易にし、ペットのストレスを和らげ、飼い主は容易にペットの様子を確認することができる。
【００１０】
また、バッグの保形性を高めスペースを確保することでもペットのストレスを和らげることができる。
【００１１】
ペットをバッグに入れる必要のないときには、バッグを折りたたむことも出来る。
【図面の簡単な説明】
【００１２】
【図１】本考案のバックの斜視図
【図２】実施例１のバックの斜視図
【図３】本考案のバックの左側面図
【図４】本考案のバックの右側面図
【図５】実施例２、３のバックの左側面図
【考案を実施するための形態】
【００１３】
実施形態は、図１〜５に示すように、手の挿入口１が両側面設けられ、バッグの形状を保ちスペースを確保するための保形用芯材２とベルト３と補強背板７により構成されている。
【実施例１】
【００１４】
図2に示すように手の挿入口1から手を入れることができ、上部のペットの入口を開けずにペットと手でコミュニケーションをとることが出来る。
【実施例２】
【００１５】
図２、図３に示すように保形用芯材２とベルト３と補強背板７によりバッグの形状を保ちスペースを確保している。
【実施例３】
【００１６】
また、図３、図５に示すようにバックル４を外すことで折りたたみを可能にし、さらにアジャスター５を設けて保形性の強度を高めることができる
【符号の説明】
【００１７】
１    手の挿入口
２    保形用芯材
３    ベルト
４    バックル
５    アジャスター
６    補強底板
７    補強背板
【図１】
0003154471.tif 000003
【図２】
0003154471.tif 000004
【図３】
0003154471.tif 000005
【図４】
0003154471.tif 000006
【図５】
0003154471.tif 000007
【手続補正書】
【提出日】平成21年7月16日(2009.7.16)
【手続補正１】
【補正対象書類名】実用新案登録請求の範囲
【補正対象項目名】全文
【補正方法】変更
【補正の内容】
【実用新案登録請求の範囲】
【請求項１】
ペットを運ぶペット用バッグであり、手の挿入口を設け、バッグの保形用部材が背面の補強背板と、補強背板とベルトで繋がり補強背板に対して補強背板から前面を膨らませる方向に立つ保形用芯材で構成された保形機能を設けたことを特徴とするペット用バッグ。
【請求項２】
出入り口を開けずに手をバッグの中に入れてペットを撫でることを可能にする、手の挿入口を設けたことを特徴とする請求項１記載のペット用バッグ。
【請求項３】
補強背板と保形用芯材を繋ぐベルトはベルトとアジャスターとバックルで構成され、アジャスターにより保形芯材を支えるベルトの張りの調整を可能にし、バックルによって補強背板と保形用芯材を繋ぐベルトを切り離し、バッグの折りたたみを可能にしたことを特徴とする請求項１記載のペット用バッグ。
(57)【要約】      （修正有）【課題】現在使用している、蛍光灯点灯装置を交換することなく、省電力型蛍光灯に交換出来る点灯装置を提供する。【解決手段】従来の蛍光管より、長さが少し短く、直径の細い、省電力型蛍光管に取り替えるため、従来の蛍光管と同じ寸法の上部に、省電力型蛍光管に取り付け、省電力型の蛍光灯点灯装置を一体化することで、従来の蛍光灯点灯装置に取り付けられるようにした、省電力型の蛍光灯点灯装置。 【選択図】図１
0003154475.tif 000002
【実用新案登録請求の範囲】
【請求項１】
現在使用している直管型点灯装置の蛍光灯と同じ寸法の両端部に接続ピンを有する省電力型の蛍光灯点灯装置の接続ピンを前記の蛍光灯点灯装置に接続して固定する、前記省電力型蛍光灯点灯装置の上部に、長さが少し短い、直径の細い前記省電力型蛍光灯を取り付けることで、現在まで使用していた直管型蛍光灯点灯装置に省電力型の蛍光灯点灯装置に取り付けること、電気を電源コードから入力することを特徴とする省電力型蛍光灯点灯装置。
【考案の詳細な説明】
【技術分野】
【０００１】
蛍光灯点灯装置に関する。
【背景技術】
【０００２】
現在の蛍光灯点灯装置は効率がよくない。
【考案の開示】
【考案が解決しようとする課題】
【０００３】
現在の蛍光灯点灯装置を取替えるには、費用と手間がかかる、又使用電圧の１００ボルトと２００ボルト使用できることを解決しようとする課題とする。
【課題を解決するための手段】
【０００４】
本考案は現在使用中の蛍光灯点灯装置を取替えることなく、簡単に取り替えることが出来る方法、使用電圧の１００ボルトと２００ボルト使用できる電源コードで本考案の課題を解決するための手段とする。
【考案の効果】
【０００５】
上述のように本考案は、現在の蛍光灯点灯装置より、省電力化また１００ボルトと２００ボルトの使用できる電源コードを付けることで非常に効果があることで、本考案の効果があった。
【考案を実施するための最良の形態】
【０００６】
現在使用中の蛍光灯点灯装置に蛍光灯の接続ピンを利用し、簡単に効率の良い省電力型の蛍光灯点灯装置に変更できる様にする、現在使用中の蛍光灯と同じ寸法の省電力型の蛍光灯点灯支持具の上部に、省電力型蛍光灯管に取り付けられるようにし、省電力型の蛍光灯点灯装置を一体化することで、現在使用している蛍光灯を取り外し、省電力型の蛍光灯点灯装置と交換し電源コードから電源を入力することで、実施するための最良の形態をえた。
【実施例】
【０００７】
図面に従って、以下添付実施例を説明する、１は省電力型蛍光灯、１ａは省電力型蛍光灯の点灯用電力入力ピン、２は省電力型蛍光灯と現在の蛍光灯の器具に取り付けられる、省電力型蛍光灯点灯装置、２aは３への蛍光灯点灯装置への接続ピンである。
【０００８】
３は現在まで使用していた蛍光灯点灯装置、３aは現在まで使用していた蛍光灯点灯装置で２aの接続ピンで接続され、省電力型蛍光灯点灯装置を固定する、４は省電力型蛍光灯用電子式点灯装置、１a入力ピンに接続され、省電力型蛍光灯が点灯される。
【図面の簡単な説明】
【０００９】
【図１】省電力型蛍光灯点灯装置を蛍光灯点灯装置に取付た一部切欠断正面図
【図２】省電力型蛍光灯点灯装置一部切欠断側面図
【図３】省電力型蛍光灯点灯装置を蛍光灯点灯装置に取付た平面図
【図４】省電力型蛍光灯点灯装置を蛍光灯点灯装置に取付た底面図
【符号の説明】
【００１０】
１    省電力型蛍光灯
２    省電力型蛍光灯点灯装置
３    蛍光灯点灯装置
４    省電力型蛍光灯用電子式点灯用機器
５    省電力型蛍光灯用電気入力コード
【図１】
0003154475.tif 000003
【図２】
0003154475.tif 000004
【図３】
0003154475.tif 000005
【図４】
0003154475.tif 000006
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
直管型蛍光灯点灯装置に接続して固定する接続ピンを有し、前記直管型蛍光灯点灯装置の蛍光灯と同じ寸法の省電力型の蛍光灯点灯装置と、省電力型の前記蛍光灯点灯装置の上部に取り付けられた、省電力型の前記蛍光灯点灯装置よりも長さが少し短く、かつ、直径が細い省電力型蛍光灯と、省電力型の前記蛍光灯点灯装置に電気を入力する電源コードと、を有することを特徴とする省電力型蛍光灯点灯装置。
(57)【要約】      （修正有）【課題】身の周りの作業空間は仕事量の増加とともに必要なモノも増えてくる。しかしながら室内の広さには限りがあり、可能な限り作業スペースを有効に活用するとこを考えなければならない。そこで室内に脱ぎっぱなしの履き物やその他の日用品を入れておくための収納付き事務用イスを提供する。【解決手段】人の体重を支える強度があり内部に大人の靴が収まる空間のある箱２を、人が腰掛け尚且つ箱の蓋として機能する座面１の下にイスを構成する部品として設けたことにより、靴等を保管できる下駄箱としての機能を持つ様にして収納付きイスを構成する。【選択図】図２
0003154474.tif 000002
【実用新案登録請求の範囲】
【請求項１】
イス座面の真下に大人の履き物一足分がゆったりと入るほどの空間が設けてある収納付きイスである。
【考案の詳細な説明】
【技術分野】
【０００１】
本考案は、靴や物を入れる収納を設けた事務用イスに関するものである。
【背景技術】
【０００２】
イスの主な目的は人の体を預けることで楽になる姿勢を作り出すことであり、その姿勢を長時間にわたって維持し続けることができるための機能などが付随している。そのために座り心地を重視したものや人それぞれの異なる体型などを考慮した多くの調整機能が付いたイスが多く出回っている。又、近頃ではイスの機能以上に外観のデザインに重点をおいたイスなどもある。
【先行技術文献】
【特許文献】
【０００３】
【特許文献１】特開２００１−１２８７７５号公報
【非特許文献】
【０００４】
【非特許文献１】宮本茂紀著  『椅子づくり百年物語』ＯＭ出版  ２００５年
【考案の概要】
【考案が解決しようとする課題】
【０００５】
従来の事務用イスは主に室内での事務作業などで利用されることが多い。その際室内への入り口に下駄箱が置いてあれば室外用から室内用の履き物に履き替えることができ、脱いだ靴は下駄箱に保管することができる。しかしながら下駄箱がない場所や頻繁に来客がある場合、屋外用の靴やヒールをそのまま履き続けることもあり仮に履き替えるにしても脱いだ履き物はそのまま机の下や引き出し、又はその周りに放置したりしている。その場合、見た目も悪く個人の所有物であるため管理に問題がある。
【課題を解決するための手段】
【０００６】
イスの腰をおろす面が蓋としても機能し、その真下に履き物を入れる収納箱を設けた。
【考案の効果】
【０００７】
イスに収納箱を設けて脱いだ履き物をその中に入れることで机の下や引き出し、床がすっきりする。又、他人が間違って履き違えたり紛失することが少なくなる。もちろんこの収納は履き物以外のものを入れることも可能である。
【図面の簡単な説明】
【０００８】
【図１】本考案の斜視図
【図２】本考案の分解斜視図
【図３】本考案の断面図
【考案を実施するための形態】
【０００９】
成人の靴一足が楽に入る大きさの収納箱２を座る面１の下に設けた。
【実施例】
【００１０】
１は収納空間の蓋としての機能以外にイス本来の人が腰掛ける座面としての機能を満たす必要がある。符合１である蓋の２の収納箱への取り付け方法は特に限定しないがイス本来の機能や収納の利用等を考えて簡単に開かないような取り付け方法が望ましい。２の収納箱は収納の機能以外にイスの主要構造部にあたるので人の体重を支える必要があるため丈夫にする必要がある。又、内部が密閉するため結露場防止用の換気穴をその底部に設けておくことが望ましい。ただし収納の用途は履き物に限定しない。
【産業上の利用可能性】
【００１１】
収納箱が付いたイスに履き物等を入れることにより机の下やその周辺の床が整理されて掃除もしやすくなる。又、自分の靴の管理がしやすくなり結果として盗難や紛失が少なくなる。
【符号の説明】
【００１２】
１    収納の蓋を兼ねたイスの座面
２    イスの骨格部分を兼ねる収納箱
【図１】
0003154474.tif 000003
【図２】
0003154474.tif 000004
【図３】
0003154474.tif 000005
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
人の体重を支える強度があり内部に大人の靴が収まる空間のある箱を、人が腰掛け尚且つ箱の蓋として機能する座面の下にイスを構成する部品として設けたことにより、靴等を保管できる下駄箱としての機能を持った収納付きイス
(57)【要約】【課題】会葬者と故人、故人の喪主又は故人の身内との関わりが分かる芳名録記入用紙を提供する。【解決手段】会葬者が記入する芳名録記入用紙において１枚に一人又は複数人分の記入欄１を配設し、該記入欄には住所２、氏名３及び間柄４を示す項目を設け、該間柄を示す項目に故人の知人５、喪主又は身内の知人６、身内７及びその他８を表記し、丸印などによって選択可能にし、さらに故人の知人の表記の横又は下に仕事、仕事以外９を表示し、丸印などによって選択可能にし、喪主又は身内の知人の表記の横又は下に、故人の喪主又は故人の身内の氏名を書く欄１０を設けることによって、会葬者と故人、故人の喪主又は故人の身内との関わりが分かるようにした芳名録記入用紙。【選択図】図１
0003154476.tif 000002
【実用新案登録請求の範囲】
【請求項１】
会葬者が記入する芳名録記入用紙において１枚に一人又は複数人分の記入欄を配設し、該記入欄には住所、氏名及び間柄を示す項目を設け、該間柄を示す項目に故人の知人、喪主又は身内の知人、身内及びその他を表記し、丸印などによって選択可能にし、さらに故人の知人の表記の横又は下に仕事、仕事以外を表示し、丸印などによって選択可能にし、喪主又は身内の知人の表記の横又は下に、故人の喪主又は故人の身内の氏名を書く欄を設けることによって、会葬者と故人、故人の喪主又は故人の身内との関わりが分かるようにした芳名録記入用紙。
【考案の詳細な説明】
【技術分野】
【０００１】
本考案は、通夜、告別式などの葬儀の際、会葬者が記入する芳名録の記入用紙に関するものである。
【背景技術】
【０００２】
従来の芳名録の記入用紙は、単に罫線で区切られて一頁で数名の人が記名する連書式のもの及び住所、氏名、単に故人との関係を記入するカード式のものが用いられている。
【先行技術文献】
【特許文献】
【０００３】
【特許文献１】特開２００３−３２６８７４
【考案の概要】
【考案が解決しようとする課題】
【０００４】
会葬者は、故人、故人の喪主又は故人の身内との付き合いで参列しているが、従来の芳名録では、会葬者と故人、故人の喪主又は故人の身内との関わりが分からず、照合するのに手間がかかった。
【０００５】
本考案は、会葬者と故人、故人の喪主又は故人の身内との関わりを明らかにすることを目的とする。
【課題を解決するための手段】
【０００６】
会葬者が記入する芳名録記入用紙において１枚に一人又は複数人分の記入欄を配設し、該記入欄には住所、氏名及び間柄を示す項目を設け、該間柄を示す項目に故人の知人、喪主又は身内の知人、身内及びその他を表記し、丸印などによって選択可能にし、さらに故人の知人の表記の横又は下に仕事、仕事以外を表示し、丸印などによって選択可能にし、喪主又は身内の知人の表記の横又は下に、故人の喪主又は故人の身内の氏名を書く欄を設けることによって、会葬者と故人、故人の喪主又は故人の身内との関わりが分かるようにしたことにより上記課題を解決する。
【考案の効果】
【０００７】
従って、本考案によれば、会葬者が記入する芳名録記入用紙において１枚に一人又は複数人分の記入欄を配設し、該記入欄には住所、氏名及び間柄を示す項目を設け、該間柄を示す項目に故人の知人、喪主又は身内の知人、身内及びその他を表記し、丸印などによって選択可能にし、さらに故人の知人の表記の横又は下に仕事、仕事以外を表示し、丸印などによって選択可能にし、喪主又は身内の知人の表記の横又は下に、故人の喪主又は故人の身内の氏名を書く欄を設けることによって、会葬者と故人、故人の喪主又は故人の身内との関わりが分かるようにしたことにより、速やかに照合できるようになる。
【図面の簡単な説明】
【０００８】
【図１】本考案の実施例を示す平面図である。
【図２】本考案の他の実施例を示す平面図である。
【考案を実施するための形態】
【実施例１】
【０００９】
図面を参照して本考案の実施例を説明すると次の通りである。図１は本考案の芳名録の記入用紙を表す平面図である。この実施例では、一枚の用紙に３人の会葬者が記入できるように３つの記入欄１を設けており、各記入欄には住所２、氏名３及び間柄４を示す項目を設けている。
【００１０】
前記間柄を示す項目には、故人の知人５、喪主又は身内の知人６、身内７その他８を表記し、丸印によって選択可能にしている。
【００１１】
前記故人の知人の表記の左横に仕事、仕事以外９を表示し、丸印によって選択可能にしている。
【００１２】
前記喪主及び身内の表記の左横に故人の喪主又は故人の身内の氏名を書く欄１０を設けている。
【実施例２】
【００１３】
他の実施例を図２に基づいて説明する。図２は本考案の芳名録の記入用紙を表す平面図である。この実施例では、一枚の用紙に１人の会葬者が記入できるように１つの記入欄１を設けており、各記入欄には住所２、氏名３及び間柄４を示す項目を設けている。
【００１４】
前記間柄を示す項目には、故人の知人５、喪主又は身内の知人６、身内７その他８を表記し、丸印によって選択可能にしている。
【００１５】
前記故人の知人の表記の下に仕事、仕事以外９を表示し、丸印によって選択可能にしている。
【００１６】
前記喪主及び身内の表記の下に故人の喪主又は故人の身内の氏名を書く欄１０を設けている。
【００１７】
実施例の図１及び図２では、選択方法を丸印を記入する形式にしているが、これに代えてチェックを記入する形式にしてもよい。
【００１８】
実施例の図１及び図２の身内と表示している箇所は、類似語の親戚、親族等に代えてもよい。
【符号の説明】
【００１９】
１    記入欄
２    住所を示す項目
３    氏名を示す項目
４    間柄を示す項目
５    故人の知人と表記
６    喪主又は身内の知人と表記
７    身内と表記
８    その他と表記
９    仕事、仕事外と表示
１０  故人の喪主又は故人の身内の氏名を記入する欄
【図１】
0003154476.tif 000003
【図２】
0003154476.tif 000004
(57)【要約】      （修正有）【課題】ファスナーを用いて意匠面のみを着脱差し替え可能にするタペストリーを提供する。【解決手段】ファスナースラス片面（スライダー付）が装着されたパイプ部（上、下）と、同じく上下にファスナースラス片面Ｂが装着された意匠面Ｈを結合させ一体化し、上下パイプにロープを通しその端を壁面に固定することによりタペストリーを完成させる。そのことにより、告知内容を頻繁に変更させたい時、パイプ部（上、下）は固定したまま意匠面のみ差し換え可能となる。【選択図】図２
0003154473.tif 000002
【実用新案登録請求の範囲】
【請求項１】
タペストリー本体をファスナーを用いることによりパイプ部と意匠面部を分割させ、着脱を可能にしたところを特徴とする意匠面着脱式タペストリー
【考案の詳細な説明】
【技術分野】
【０００１】  本考案は、固定する際に用いる上下パイプ部とＰＲ告知を目的とした意匠面部にファスナーを用い、着脱可能としたタペストリーに関するものである。
【背景技術】
【０００２】  店鋪などの商業施設等に多く用いられるＰＲ用の屋外タペストリーは、現状意匠面と上下パイプが一体化されている。
【考案の概要】
【考案が解決しようとする課題】
【０００３】  一体化されたタペストリーは、設置後各店鋪に於いて行ないたいＰＲ告知（時間帯別、季節別、イベント別など）の際にその都度パイプ部を含めた全体を制作する必要がある。また収納の際も固定部をとり外す作業が煩雑である。従って、意匠面部を着脱式にすることにより上下のパイプ部は固定したままの状態で意匠面部のみの交換で済み、告知毎の制作費も削減できる。また収納の際も作業が簡潔に行える。
【課題を解決するための手段】
【０００４】  本考案は、上下のパイプを強度性のあるシートでまきこみその端にオープンファスナーのスラス片面（スライダー付）を縫製およびカシメピンで止め、装着する。また同様にスラス片面を意匠面側にも装着することにより、意匠面部分の着脱を可能にした。それにより制作時のコスト削減且つ収納をより簡単に行えることで問題点を解決している。
【考案の効果】
【０００５】  前述のように、本考案の意匠面着脱式タペストリーは、各店鋪等のＰＲを目的とした従来の告知効果はもちろん、パイプ部分と意匠面を着脱式にしたので、複数回のＰＲ告知を低予算で行うことができ、しかも諸条件（悪天候時、閉店後、店休日等）での収納を簡潔に行うことに役立つ。
【図面の簡単な説明】
【０００６】
【図１】本考案の意匠面着脱式タペストリーの全体
【図２】意匠面部
【図３】パイプ部（上下）
【図４】各部分の詳細
【考案を実施するための形態】
【０００７】  ファスナースラス片面（スライダー付）が装着されたパイプ部（上下）と、同じく上下にファスナースラス片面が装着された意匠面を結合させ一体化し、上下パイプにロープを通しその端を壁面に固定することによりタペストリーを完成させる。そのことにより、告知内容を頻繁に変更させたい時、パイプ部（上下）は固定したまま意匠面のみ差し換え可能となる。
【実施例】
【０００８】  以下、添付図面に従って一実施例を説明する。図１は適宣素材にて一体化されたタペストリー全体、図２はシート上下にファスナースラス片面Ｂを縫製およびカシメピンＥにて装着している意匠面部Ｈ。図３はプラスチック製パイプＣをシートＤで巻こみファスナースラス片面（スライダー付）Ａを縫製およびカシメピンＥにて装着しパイプ内部にロープＧを通しパイプの両端をロープ穴の施されたキャップＦで止める。【０００９】  上記の通りそれぞれ完成されたパイプ部図３と意匠面部図２をファスナー機能をもって結合し意匠面着脱式タペストリー図１を完成し、それを壁面等に固定する。
【符号の説明】
【００１０】Ａ  ファスナースラス片面（スライダー付）
Ｂ  ファスナースラス片面
Ｃ  プラスチック製パイプ
Ｄ  シート
Ｅ  カシメピン
Ｆ  キャップ
Ｇ  ロープ
Ｈ  意匠面シート
【図１】
0003154473.tif 000003
【図２】
0003154473.tif 000004
【図３】
0003154473.tif 000005
【図４】
0003154473.tif 000006
(57)【要約】      （修正有）【課題】通気性の優れた、晴雨に拘わらず使用できる夏日、真夏日対策シューズを提供する。【解決手段】吊り込みライン３より上の位置におけるアウターソール１の爪先部前方及び土踏まず部側方にアッパーソール２内へ連通する通気孔を設けた夏日、真夏日対策シューズＡと、雨天時に夏日、真夏日対策シューズ内に挿入していたカップインソール又は中敷５を入れ替えて挿入すると共に、夏日、真夏日対策シューズＡ内に入れ戻して履くインナーレインシューズとから成るスーパードライシステムを備えて靴を構成する。【選択図】図１
0003154405.tif 000002
【実用新案登録請求の範囲】
【請求項１】
アウターソールの端縁にアッパーソールの下部を吊り込み縫着した靴において、吊り込みラインより上の位置におけるアウターソールの爪先部前方及び土踏まず部側方にアッパーソール内へ連通する通気孔を設けた夏日、真夏日対策シューズＡと、雨天時に夏日、真夏日対策シューズＡに挿入していたカップインソール又は中敷を入れ替えて挿入すると共に、夏日、真夏日対策シューズＡ内に入れ戻して履くインナーレインシューズＢとから成る夏日、真夏日対策シューズ。
【考案の詳細な説明】
【技術分野】
【０００１】
本考案は通気性の優れた、晴雨に拘わらず使用できる夏日、真夏日対策シューズ
に関する。
【背景技術】
【０００２】
発汗による足の蒸れを防いで臭気の発生や水虫罹病を予防するため、アウターソールの周囲に通気孔を設けると共にアウターソール上にアッパーソールを具備し、アウターソール上面に溝或いは突起を設け、アウターソール上に通気性の良いインナーソールを載せてアウターソールの通気孔からの外気を溝或いは突起の間隙から靴内部へ流通させ、アウターソールの通気孔から排出している発明がある。例えば特許文献１（図１、図６）
【先行技術文献】
【特許文献】
【０００３】
【特許文献１】特開２００８−１４９０８４号公報
【考案の概要】
【考案が解決しようとする課題】
【０００４】
特許文献１に係る発明は、アウターソールに設けている溝又は突起に足裏が押しつけられた状態で接触し、或いは溝又は突起の上に載せているインナーソールに足裏が接触しているため通気性が阻害され、又、雨天時に履くとき通気孔に開閉式の防水部材が施され、或いは非透水性の通気性部材が施されているとしても、外気と共に雨水の小滴が入り込み靴下や足が濡れる恐れがあり、完璧に雨水の浸入を防ぐことは至難である。
【課題を解決するための手段】
【０００５】
本考案は、アウターソールの端縁にアッパーソールを吊り込み縫着した靴において、吊り込みラインより上の位置におけるアウターソールの爪先部前方及び爪先部側方にアッパーソール内へ連通する通気孔を設け、通気孔からの外気を取り入れ靴内へ流通させて内部の熱気を冷ますことで、足の蒸れと臭気の発生、水虫の罹病を予防し、雨天時には塩化ビニル製等の撥水素材から成るスニーカーソックス形状のインナーレインシューズに、靴に入れていたカップインソール又は中敷を差し替えて挿入すると共に、該インナーレインシューズを靴に入れ戻し履いて雨水の浸入を確実に防ぎ、雨が降り止むと夏日、真夏日対策シューズ内の水気を拭き取ってカップインソール又は中敷きをシューズ内へ入れ戻し、靴下や足が濡れないようにして快適に履くことを目的とするスーパードライシューズシステムを備えた夏日、真夏日対策シューズである。
【考案の効果】
【０００６】
靴に設けた通気孔から外気を取り入れ足へ直に吹き付けることができ、靴内の熱気が冷まされ、足の蒸れを防ぎ臭気の発生や水虫の罹病を防ぐことができる。又、雨天時には靴の中へインナーレインシューズを入れて履くため，雨水の浸入を確実に防いで靴下や足が濡れないため快適である。
【図面の簡単な説明】
【０００７】
【図１】本考案に係る夏日、真夏日対策シューズＡの外観を示す正面図。
【図２】同、要部切欠き拡大正面図。
【図３】同、平面図。
【図４】本考案に係るインナーレインシューズＢを、雨天時に夏日、真夏日対策シューズＡの中へ入れて履く状態を示す縦断面図。
【考案を実施するための形態】
【０００８】
本考案に係る夏日、真夏日対策シューズＡは、アウターソール（外底）１の端縁１ａにアッパーソール（胛皮）２の下部を吊り込み縫着した通常の製靴工程における靴において、吊り込みライン３より上の位置におけるアウターソール１の爪先部前方及び土踏まず部側方と、アッパーソール２の下部内へ連通する通気孔４ａ及び通気孔４ｂを設ける。
爪先部前方の通気孔４aから外気を靴内へ取り込み、土踏まず部側方の通気孔４ｂから外気を放出させて靴内を冷やし、足の蒸れを防ぎ、靴内に臭気が発生しないようにし又、足指の股間に水虫が巣食うのを防ぐのである。
【０００９】
夏日、真夏日対策シューズＡを履いているとき突然の雨降りに遭つた場合や、雨天時に履くとき通気孔４ａ、４ｂから雨水が靴内へ浸入するのを防ぐため、塩化ビニル製等の撥水素材から成るスニーカーソックス形状のインナーレインシューズＢを作成し、夏日、真夏日対策シューズＡに入れていたカップインソール又は中敷５をインナーレインシューズＢに差し替え挿入した後、該インナーレインシューズＢを夏日、真夏日対策シューズＡ内に入れて履くことにより雨水の浸入を確実に防ぎ、雨が降り止むと夏日、真夏日対策シューズＡ内に残る若干の水気を拭き取りインナーレインシューズBに入れていたカップインソール又は中敷５を夏日、真夏日対策シューズＡ内へ入れ戻し、上記のように靴内が熱されるのを防ぐと共に晴雨に拘わらず快適に履くものである。
【産業上の利用可能性】
【００１０】
気温が高い夏季において晴雨に拘わらず快適に履くことができるスーパードライシューズシステムを備えているため市場性に富んでいる。
【符号の説明】
【００１１】
Ａ  夏日、真夏日対策シューズ  Ｂ  インナーレインシューズ  
１  アウターソール  ２  アッパーソール  ３  吊り込みライン
４ａ、４ｂ  通気孔  ５  カップインソール又は中敷
【図１】
0003154405.tif 000003
【図２】
0003154405.tif 000004
【図３】
0003154405.tif 000005
【図４】
0003154405.tif 000006
(57)【要約】      （修正有）【課題】一般家庭においても使用しやすく、実用性の高いアイスプレートを提供する。【解決手段】任意の直径と適当な深さを有する容器体１の内部に蓄冷材５，５を載置し、この蓄冷材の上面部には金属製の平板６を接置し、前記容器体及び平板の上方部に蓋体９を配置して成るものである。【選択図】図１
0003154401.tif 000002
【実用新案登録請求の範囲】
【請求項１】
任意の直径と適当な深さを有する容器体の内部に蓄冷材を載置し、この蓄冷材の上面部には金属製の平板を接置し、前記容器体及び平板の上方部に蓋体を配置して成ることを特徴とするアイスプレート。
【考案の詳細な説明】
【技術分野】
【０００１】
本考案は、アイスプレートに関するものである。
【背景技術】
【０００２】
従来、一般的に蓄冷材を食品保存のために使用する場合はあっても、それを家庭において調理等のために自在に使用することはなかったことに鑑み、その使用範囲を拡大し、一般家庭において蓄冷材を自由に使用できる物品を提供せんとするものである。
【０００３】
公知技術としては次のようなものが見られるが、本考案には直接関係のないものである。
【先行技術文献】
【特許文献】
【０００４】
【特許文献１】実開平６−７５２７７号公報
【考案の概要】
【考案が解決しようとする課題】
【０００５】
そこで、本考案にあっては、一般家庭においても、きわめて使用し易い実用性の高いアイスプレートを提供することを目的とする。
【課題を解決するための手段】
【０００６】
本考案は、任意の直径と適当な深さを有する容器体の内部に蓄冷材を載置し、この蓄冷材の上面部には金属製の平板を接置し、前記容器体及び平板の上方部に蓋体を配置して成るものである。
【考案の効果】
【０００７】
第１に、夏期時に食卓上において冷却を保持しておきたい野菜などの食材を、蓄冷材を収容した容器体内部の平板部上に載置しかつ蓋体をしておくことによって、一定時間食材の冷却化を保持しておくことができるから、食事を安楽にすることができる。
【０００８】
第２に、蓄冷材を収容した容器体内部の平板部上に種類の異なるアイスクリームを混ぜ合わせたり、この中にチョコレートなどの粉粒子を入れて掻きまぜることが、容器体全体を冷却状態に保持しながら確実に行うことができる。
【０００９】
第３に、不使用時には、蓋体を反転して容器体の底面部に被套すれば、全体の高さが低くなって全体が小型化されることになるから、そのような状態で台所の適当な場所を選んで収納しておくことが容易にできる。
【図面の簡単な説明】
【００１０】
【図１】全体の各部材の斜視図
【図２】全体の組合わせ状態を示した正断面図
【図３】全体の他の組合わせ状態を示した正断面図
【図４】一使用例の使用状態図
【考案を実施するための形態】
【００１１】
使用者は、食卓上に置いた所定の容器体の内部に、冷凍庫から取り出した蓄冷材を載置し、この蓄冷材の上面部に金属製の平板を置いておく。すると、平板は直ぐに冷却化するから、この平板上に野菜その他の食材を載置して冷却状態を保持するようになる。
【００１２】
また、その平板上においては、異種のアイスクリームなどの混ぜ合わせを、専用スプーンを使用して行うために使用することができる。（図４参照）
【実施例】
【００１３】
１は任意の直径寸法に成りかつ適当深さを有する容器体で、この容器体の周面部２は外側方に拡開して形成する。
【００１４】
３は前記容器体１の底周面に設けた脚部で、この脚部には滑止め材４を嵌着する。
【００１５】
５，５は蓄冷材で、この蓄冷材は予め冷凍庫に収容していたものを必要時に取り出し、前記容器体１の内部底面部上に載置する。図面では、この蓄冷材は二分割体から成る。
【００１６】
６はステンレス鋼から成る金属製の平板で、この平板はその周囲に合成樹脂製の環材７を介して合成樹脂製の周枠材８を設けて成る。
【００１７】
前記環材７及び周枠材８は、平板６を前記容器体１内の蓄冷材５，５の上面部に置いたとき、容器体１の前記周面部２に当接するようになる。
【００１８】
前記平板６の周囲に設けた環材及び周枠材は、その全体を平板６とともに金属板によって一体に成形してもよい。
【００１９】
９は前記平板６の周枠材８の上方部に被嵌する透明性の蓋体で、この蓋体の中央部には摘み１０を設ける。
【００２０】
この蓋体９は、図３に見られるとおり、前記容器体１の底面部下方に反転状態にして使用することができる。
【００２１】
１１，１１は調理時に使用する合成樹脂製のスプーンで、図４に示した使用例では、このスプーンによって種類の異なる２つのアイスクリームａ，ｂに、チョコレートｃを粒状に混合して掻きまぜている。
【符号の説明】
【００２２】
１                    容器体
２                    周面部
３                    脚部
４                    滑止め材
５，５                蓄冷材
６                    平板
９                    蓋体
１０                  摘み
１１，１１            スプーン
【図１】
0003154401.tif 000003
【図２】
0003154401.tif 000004
【図３】
0003154401.tif 000005
【図４】
0003154401.tif 000006
(57)【要約】      （修正有）【課題】顔、身体の皮膚上にできた色素性母斑、母斑、隆起した母斑、しみ、吹き出物を装飾し、隠せるデコレーションボクロを提供する。【解決手段】顔、身体の皮膚上にできた色素性母斑、母斑、隆起した母斑、しみ、吹き出物のある部分に面し、粘着性のある何らかの物質を塗った綺麗な色彩のプラスティックのビーズや、ビーズのようなカットがほどこされた飴の食材でできているポイント用アクセサリーを装飾することで色素性母斑、母斑、隆起した母斑、しみ、吹き出物のある部分を見えなくさせる。【選択図】図１
0003154018.tif 000002
【実用新案登録請求の範囲】
【請求項１】
粘着性のあるものを綺麗な色彩のプラスティックのビーズや、ビーズのようなカットがほどこされた飴の食材でできているポイント用アクセサリービーズの皮膚に接するであろう部分に塗り、顔、身体の皮膚上にできた色素性母斑、母斑、隆起した母斑、しみ、吹き出物に貼り付けて装飾する本考案。
【考案の詳細な説明】
【技術分野】
【０００１】本考案は顔、身体の皮膚上にできた色素性母斑、母斑、隆起した母斑、しみ、吹き出物を装飾する綺麗な色彩のプラスティックのビーズや、ビーズのようなカットがほどこされた飴の食材でできているポイント用アクセサリーに関するものである。
【背景技術】
【０００２】色素性母斑、母斑、隆起した母斑、しみ、吹き出物はレーザーでの除去や手術により取り除かれている。
【考案の開示】
【考案が解決しようとする課題】
【０００３】母斑にはレーザーを照射することによって除去する方法が一般的になされているが、色素性母斑もレーザーでの除去が可能ではあるが、大きめの母斑は手術によって取り除く必要がある。大きめの母斑をレーザーで照射すると傷跡が残ったり、母斑があった箇所にくぼみが出来てしまう可能性がある。一度消した色素性母斑又は隆起した母斑も再び数年後に皮膚の同じ箇所にできることがあった。さらに顔、身体の皮膚上にできた色素性母斑、母斑、隆起した母斑、しみ、吹き出物取り除くには高額の手術費用と皮膚を含めた身体全体への負担がかかる問題点を解決しようとするものである。
【問題を解決するための手段】
【０００４】本考案は顔、身体の皮膚上にできた色素性母斑、母斑、隆起した母斑、しみ、吹き出物を単純に取り除くのではなく、綺麗な色彩のプラスティックのビーズや、ビーズのようなカットがほどこされた飴の食材でできているポイント用アクセサリーを、色素性母斑、母斑、隆起した母斑、しみ、吹き出物の皮膚上に装飾していき、充分に粘着性のある何らかの物質を、装飾品が皮膚と接触する一面に塗りつけて、色素性母斑、母斑、隆起した母斑、しみ、吹き出物を完全に見えなくさせることで悩みを解決している。
【考案の効果】
【０００５】顔、身体の皮膚上にできた色素性母斑、母斑、隆起した母斑、しみ、吹き出物に本考案のビーズを装飾することにより充分に隠すことができて、なおかつ皮膚を傷めたりすることはしないで、お洒落を充分に楽しめる。
【考案の実施する最良の形態】
【０００６】皮脂の油分を充分に取り除き、角質も落とした後に、粘着性のある物質を皮膚に面して張り付ける本考案の断面に塗り、皮膚に貼り付ける。そして粘着性のある物質か乾ききれば、触らないように気をつけて、もしくは激しい皮脂の摩擦を避ける、そして高温多湿を避けると最良の状態が保たれる。
【図面の簡単な説明】
【０００７】
【図１】断面図、側面図
【図２】上面図
【符号の説明】
【０００８】
【図１】
0003154018.tif 000003
【図２】
0003154018.tif 000004
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
綺麗な色彩のプラスティックのビーズや、ビーズのようなカットがほどこされた飴のでできているポイント用アクセサリーで皮膚に接する部分に粘着性のあるものを塗し身体の皮膚上にできた色素性母斑、母斑、隆起した母斑、しみ、吹き出物に貼り付け飾するデコボクロ又はデコレーションボクロ。
【手続補正２】
【補正対象書類名】明細書
【補正対象項目名】０００５
【補正方法】変更
【補正の内容】
【０００５】顔、身体の皮膚上にできた色素性母斑、母斑、隆起した母斑、しみ、吹き出物に綺麗な色彩のプラスティックのビーズや、ビーズのようなカットがほどこされた飴の食材でできているポイント用アクセサリーを装飾することにより充分に隠すことができて、なおかつ皮膚を傷めたりすることはしないで、お洒落を充分に楽しめる。
【手続補正３】
【補正対象書類名】明細書
【補正対象項目名】０００６
【補正方法】変更
【補正の内容】
【０００６】皮脂の油分を充分に取り除き、角質も落とした後に、粘着性のある物質を皮膚に面して張り付ける断面に塗り、綺麗な色彩のプラスティックのビーズや、ビーズのようなカットがほどこされた飴の食材でできているポイント用アクセサリーを皮膚に貼り付ける。そして粘着性のある物質が乾ききれば、触らないように気又をつけて、激しい皮脂の摩擦をて、高温多湿を避けると最良の状態が保たれる。
【手続補正書】
【提出日】平成21年6月22日(2009.6.22)
【手続補正１】
【補正対象書類名】実用新案登録請求の範囲
【補正対象項目名】全文
【補正方法】変更
【補正の内容】
【実用新案登録請求の範囲】
【請求項１】
綺麗な色彩のプラスティックのビーズや、ビーズのようなカットがほどこされた飴の食材でできているポイント用アクセサリーで皮膚に接する部分に粘着性のあるものを塗し身体の皮膚上にできた色素性母斑、母斑、隆起した母斑、しみ、吹き出物に貼り付け装飾するデコボクロ又はデコレーションボクロ。
(57)【要約】      （修正有）【課題】酸化が進んだ使用済み植物油を還元し、再生活性化する装置を提供する。【解決手段】使用済み廃植油をろ過槽で、不純物を取り除き、貯留槽に溜め、貯留槽に溜めた油を循環ポンプにより、直結した複数のマグネットを直列に間隔を取って装着した循環パイプを通過させ、何度もマグネットの磁気を潜らせることで、酸化したエネルギーの低下がみられる廃植油を還元する。【選択図】図１
0003154019.tif 000002
【実用新案登録請求の範囲】
【請求項１】
（１）酸化した使用済み植物油、長期保存のため酸化した植物油を磁気により還元し再生活性化する装置
（２）使用中の植物油の酸化を遅らせる装置
【考案の詳細な説明】
【技術分野】
【０００１】  本考案は、植物油を使用する事で酸化され燃焼エネルギーの低下をまねいた油又長期保存の為酸化が進み劣化した植物油をマグネットの磁気により還元し再生活性化する装置
【背景技術】
【０００２】  従来てんぷら油等の使用済み植物油は、石鹸の材料やボイラーの燃料やろ過してディーゼル自動車等の燃料として使用されているが酸化が進んでいる為燃焼エネルギーが低下しパワー不足や燃費効率の低下を招いている。
【考案の開示】
【考案が解決しようとする課題】
【０００３】  使用済み植物油の酸化により、燃焼エネルギーの低下から生じるパワー不足や燃費効率の向上を図る。
【課題を解決する為の手段】
【０００４】  酸化が進んだ使用済み植物油をろ過し不純物取り除いた油をマグネットの磁気の力により還元し再生活性化する。
【考案の効果】
【０００５】  本考案の効果は、新しい植物油、使用済み植物油、使用済み植物油を磁気により活性化した油の３種類を同条件下で燃焼比較を行い数値による効果確認をする。
結果は、下記の通りである。
0003154019.tif 000003
0003154019.tif 000004
【考案を実施する為の最良の形態】
【０００６】  本考案を実施する為の形態は、植物油再生活性化装置に組み込まれている複数のマグネットの磁気を何度も潜らせ酸化した使用済み植物油を還元し未使用の植物油の持っているエネルギーに限りなく近づけ復元することができる。その為車の軽油、ボイラーの灯油等の代替燃料として活用できる。また、使用中の植物油をマグネットパネルの磁気により、植物油の酸化を遅らせ植物油の使用寿命をのばし植物油の使用量を減らすことができる。
尚、装置の中に組み込まれている複数のマグネット設置構造は、Ｎ極、Ｓ極が交互に配列されることによりＮ極からの磁力線がＳ極へ向かって八方へ進む為植物油への磁力線の影響が大きく再生活性化効率を向上させている。
【実施例】
【０００７】  某コンビニに設置されているフライヤーの植物油の延命装置としてマグネットパネルを組み込んだ鍋敷きを設置する。フライヤーの掃除の都度、植物油の入れた容器を鍋敷の上におき磁気をあて使用中の植物油を活性化させる。植物油の交換は、以前は３〜４日だったのが植物油の延命装置設置後は、７〜８日の交換で済み商品の品質も以前と同等以上で好評である。
【産業上の利用可能性】
【０００８】  本考案は、使用済み植物油の再生活性化はもとより、鉱物油の活性化やマグネットパネルで磁気ボックスを作り磁気空間の中に生鮮食料品を入れ酸化を押さえ鮮度の維持と保存を図る。又、現在の冷却技術と併用し、食料品等の保存技術を向上させるなど利用可能な分野は多義に渡る。
【図面の簡単な説明】
【０００９】
【図１】  使用済み植物油の再生活性化装置図
【図２】  使用中植物油の酸化遅延装置図
【符号の説明】
使用中植物油の酸化遅延装置図
【００１０】１………………１．５ｍｍ以上の不純物のろ過槽
２………………０．３〜１．５ｍｍまでの不純物のろ過槽
３………………攪拌槽
４………………貯留槽
５………………循環ポンプ
６………………バルブ
７………………マグネット装着パイプ
８………………マグネット
９………………油取り出し口
１０……………マグネット装着プレート
１１……………マグネット
１２……………油入れ容器
【図１】
0003154019.tif 000005
【図２】
0003154019.tif 000006
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
（１）使用済み廃植油をろ過槽で不純物を取り除き貯留槽に溜め、その油を循環パイプ（複数のマグネットを直列に間隔をとって装着したパイプ）を循環ポンプによって通過させ何度もマグネットの磁気を潜らせることで、酸化しエネルギーの低下がみられる廃植油を還元するろ過槽、貯留槽、循環パイプ、循環ポンプからなる構造で廃植油を還元し再生活性化する装置。
【手続補正２】
【補正対象書類名】明細書
【補正対象項目名】実施例
【補正方法】変更
【補正の内容】
【実施例】
【０００７】
本考案の実施例は、▲１▼の１．５ｍｍ以上の不純物をろ過するろ過槽と▲２▼の０．３〜１．５ｍｍまでの不純物をろ過するろ過槽からなっている構造のろ過槽で、使用済み植物油は、▲１▼、▲２▼のろ過槽で不純物が取り除かれ▲３▼の攪拌槽に溜まり▲３▼から▲４▼の貯留槽に移流した植物油は、▲５▼の循環ポンプによって汲み上げられ▲７▼のマグネット装着パイプを通過し▲８▼のマグネットの磁気によって還元活性化された植物油を▲３▼の攪拌槽に吹き出し中の植物油を攪拌し品質を平均化しながらこの作業を何回も繰り返し行い還元活性化をさらに進ませ、新しい植物油のエネルギーに限りなく近づけ復元を図り、再生活性化した植物油は、▲９▼の油取り出し口から取り出され活用される。
【手続補正３】
【補正対象書類名】明細書
【補正対象項目名】０００９
【補正方法】変更
【補正の内容】
【０００９】
【図１】使用済み植物油の再生活性化装置図
【手続補正４】
【補正対象書類名】明細書
【補正対象項目名】００１０
【補正方法】変更
【補正の内容】
【００１０】▲１▼……………１．５ｍｍ以上の不純物をろ過するろ過槽
▲２▼……………０．３〜１．５ｍｍまでの不純物をろ過するろ過槽
▲３▼……………攪拌槽
▲４▼……………貯留槽
▲５▼……………循環ポンプ
▲６▼……………バルブ
▲７▼……………マグネット装着パイプ
▲８▼……………マグネット
▲９▼……………油取り出し口
【手続補正５】
【補正対象書類名】図面
【補正対象項目名】全図
【補正方法】変更
【補正の内容】
【図１】
0003154019.tif 000007
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
使用済み廃植油をろ過槽で、不純物を取り除き、貯留槽に溜め、貯留槽に溜めた油を循環ポンプにより、直結した複数のマグネットを直列に間隔を取って装着した循環パイプを通過させ、何度もマグネットの磁気を潜らせることで、酸化したエネルギーの低下がみられる廃植油を還元する、ろ過槽、貯留槽、循環パイプ、循環ポンプからなる構造の還元活性化装置
【手続補正２】
【補正対象書類名】手続補正書
【補正対象項目名】手続補正６
【補正方法】削除
【補正の内容】